(57)【特許請求の範囲】
【請求項１】
光ディスクに情報データを記録再生するディスク装置であって、
ディスク装置の電源ＯＦＦを指令する電源ＯＦＦ指令手段と、
前記電源ＯＦＦ指令手段により電源ＯＦＦが指令されたとき、電源ＯＦＦ処理を指令する制御信号を駆動装置の全制御回路に送出する送出手段と、
前記送出手段が電源ＯＦＦ処理を指令する制御信号を送出したときからの時間を計時するタイマ手段と、
駆動装置の制御回路から電源ＯＦＦ処理終了の応答信号を受信する受信手段と、
前記受信手段により駆動装置の全制御回路から電源ＯＦＦ処理終了の応答信号が受信されていない場合、電源ＯＦＦ処理を指令する制御信号を電源ＯＦＦ処理終了の応答信号がない制御回路に繰り返し再送出する再送出手段と、
前記受信手段により駆動装置の全制御回路からの電源ＯＦＦ処理終了の応答信号が受信された場合、電源ＯＦＦ時の正常終了の終了情報を記憶し、前記受信手段により駆動装置の全制御回路から電源ＯＦＦ処理終了の応答信号が受信されない場合に、前記タイマ手段の計時時間が所定時間経過したとき、電源ＯＦＦ時の異常終了の終了情報を記憶する記憶手段と、
前記受信手段により駆動装置の全制御回路からの電源ＯＦＦ処理終了の応答信号が受信されたとき、或いは、前記タイマ手段の計時時間が所定時間経過したとき、ディスク装置の電源をＯＦＦにする電源ＯＦＦ手段と、
ディスク装置の電源ＯＮを指令する電源ＯＮ指令手段と、
前記電源ＯＮ指令手段によりディスク装置の電源ＯＮが指令されたとき、ディスク装置の電源をＯＮにする電源ＯＮ手段と、
前記記憶手段に記憶されている電源ＯＦＦ時の終了情報を読み出して、電源ＯＦＦ時の終了状態を判別する判別手段と、
前記判別手段により電源ＯＦＦ時に駆動装置の全制御回路が正常終了していなかったと判別された場合、電源ＯＦＦ時に正常終了していない駆動装置の制御回路に制御信号を送出して制御回路の駆動装置を電源ＯＮ時の初期状態に復帰させる復帰手段とを備えたことを特徴とするディスク装置。
【請求項２】
光ディスクに情報データを記録再生するディスク装置であって、
ディスク装置の電源ＯＦＦを指令する電源ＯＦＦ指令手段と、
前記電源ＯＦＦ指令手段により電源ＯＦＦが指令されたとき、電源ＯＦＦ処理を指令する制御信号を駆動装置の全制御回路に送出する送出手段と、
前記送出手段が電源ＯＦＦ処理を指令する制御信号を送出したときからの時間を計時するタイマ手段と、
駆動装置の制御回路から電源ＯＦＦ処理終了の応答信号を受信する受信手段と、
前記受信手段により駆動装置の全制御回路から電源ＯＦＦ処理終了の応答信号が受信されていない場合、電源ＯＦＦ処理を指令する制御信号を電源ＯＦＦ処理終了の応答信号がない制御回路に繰り返し再送出する再送出手段と、
前記受信手段により駆動装置の全制御回路からの電源ＯＦＦ処理終了の応答信号が受信された場合、電源ＯＦＦ時の正常終了の終了情報を記憶し、前記受信手段により駆動装置の全制御回路から電源ＯＦＦ処理終了の応答信号が受信されない場合に、前記タイマ手段の計時時間が所定時間経過したとき、電源ＯＦＦ時の異常終了の終了情報を記憶する記憶手段と、
前記受信手段により駆動装置の全制御回路からの電源ＯＦＦ処理終了の応答信号が受信されたとき、或いは、前記タイマ手段の計時時間が所定時間経過したとき、ディスク装置の電源をＯＦＦにする電源ＯＦＦ手段とを備えたことを特徴とするディスク装置。
【請求項３】
ディスク装置の電源ＯＮを指令する電源ＯＮ指令手段と、
前記電源ＯＮ指令手段によりディスク装置の電源ＯＮが指令されたとき、ディスク装置の電源をＯＮにする電源ＯＮ手段と、
前記記憶手段に記憶されている電源ＯＦＦ時の終了情報を読み出して、電源ＯＦＦ時の終了状態を判別する判別手段と、
前記判別手段により電源ＯＦＦ時に駆動装置の全制御回路が正常終了していなかったと判別された場合、電源ＯＦＦ時に正常終了していない駆動装置の制御回路に制御信号を送出して制御回路の駆動装置を電源ＯＮ時の初期状態に復帰させる復帰手段とを更に備えたことを特徴とする請求項２記載のディスク装置。
【請求項４】
前記記憶手段は、不揮発性メモリであることを特徴とする請求項１又は２のいずれかに記載のディスク装置。
【発明の詳細な説明】
【技術分野】
【０００１】
本発明は、光ディスクに情報データを記録再生するディスク装置に係り、特に電源ＯＦＦ時に、駆動装置の全制御回路からの電源ＯＦＦ処理終了の応答信号がない場合でも、電源をＯＦＦにすることができるディスク装置に関する。
【背景技術】
【０００２】
一般に、ディスク装置には、マイコンから複数の駆動装置の制御回路に制御信号を送出して、複数の制御回路のそれぞれに接続された駆動装置を動作させている。電源ＯＦＦが指令されたとき、マイコンは、駆動装置の全制御回路に電源ＯＦＦ処理を指令する制御信号を送出して、複数の制御回路のそれぞれに接続された駆動装置の電源ＯＦＦ処理を実行させるようになっている。そして、複数の制御回路のそれぞれに接続された駆動装置の電源ＯＦＦ処理が終了すると、駆動装置の制御回路のそれぞれから電源ＯＦＦ処理終了の応答信号がマイコンに送出され、駆動装置の全制御回路からの電源ＯＦＦ処理終了の応答信号を受信すると、マイコンは、電源制御回路に制御信号を送出して、ディスク装置の電源をＯＦＦにする。しかし、駆動装置の全制御回路からの電源ＯＦＦ処理終了の応答信号が受信されていない場合、マイコンは、駆動装置の全制御回路から送出された電源ＯＦＦ処理終了の応答信号を受信するまで、電源制御回路に制御信号を送出することができず、ディスク装置の電源がＯＦＦにならない状態が続くため、ユーザが電源プラグをコンセントから抜いて強制的にディスク装置の電源をＯＦＦにしなければならないという煩わしい問題点があった。
背景技術としては、終了処理を開始した時点でタイマを起動し、プログラムが正常に終了処理を行った場合は終了処理の終りで電源をＯＦＦにし、不具合があった場合は所定時間経過した時点で強制的に電源を遮断するようにしたものがあった（例えば、特許文献１参照）。
また、電源装置に外部から電源切断指示信号を送出して、制御プログラムが所定の終了処理を実行した後、所定時間までに制御プログラムから電源切断指示信号が出力されないときに、ウォッチドッグタイマからタイムアウト信号が出力された場合、外部からの電源切断指示信号により装置の電源を切断するようにしたものがあった（例えば、特許文献２参照）。
また、電源スイッチが操作によりタイマを起動して制御部に終了処理を実行させ、制御部が電源ＯＦＦ信号を電源制御回路に出力しない場合に、一定時間経過したとき、タイマからの電源ＯＦＦ信号を電源制御回路に送出して、システムの電源をＯＦＦにするようにしたものがあった（例えば、特許文献３参照）。
また、マイコンの電源をＯＮにして、マイコンから電源スイッチの操作直前の状態に応じて制御信号を送出してデジタル回路の電源のＯＮ／ＯＦＦを切り換え、マイコンの誤動作時に、電源スイッチの操作によりマイコンのリセット端子にリセットをかけて、デジタル回路の電源のＯＮ／ＯＦＦを切り換えるようにしたものがあった（例えば、特許文献４参照）。
【特許文献１】特開２００１−１４０６９号公報
【特許文献２】特開平６−２０２７６４号公報
【特許文献３】特開平７−１０４８９３号公報
【特許文献４】特開２００１−３０６１９２号公報
【発明の開示】
【発明が解決しようとする課題】
【０００３】
しかしながら、背景技術で述べたもののうち最初のものにおいては、終了処理を開始した時点でタイマを起動し、プログラムが正常に終了処理を行った場合は終了処理の終りで電源をＯＦＦにし、不具合があった場合は所定時間経過した時点で強制的に電源を遮断することができたが、オペレーティングシステムやアプリケーションプログラムが正常に終了されない場合に、強制的に電源を遮断するようにしたものであって、上記問題点を解決するようにしたものではなかった。
また、次のものにおいては、電源装置に外部から電源切断指示信号を送出して、制御プログラムが所定の終了処理を実行した後、所定時間までに制御プログラムから電源切断指示信号が出力されないときに、ウォッチドッグタイマからタイムアウト信号が出力された場合、外部からの電源切断指示信号により装置の電源を切断することができたが、プログラムが暴走した場合に、ウォッチドッグタイマのタイムアウト信号を検出したとき、強制的に電源をＯＦＦにするようにしたものであって、上記問題点を解決するようにしたものではなかった。
また、更にその次のものにおいては、電源スイッチが操作によりタイマを起動して制御部に終了処理を実行させ、制御部が電源ＯＦＦ信号を電源制御回路に出力しない場合に、一定時間経過したとき、タイマからの電源ＯＦＦ信号を電源制御回路に送出して、システムの電源をＯＦＦにすることができたが、制御部のプログラムが暴走した場合に、タイマからの電源ＯＦＦ信号にシステムの電源をＯＦＦにするようにしたものであって、上記問題点を解決するようにしたものではなかった。
また、更にその次のものにおいては、マイコンの電源をＯＮにして、マイコンから電源スイッチの操作直前の状態に応じて制御信号を送出し、デジタル回路の電源のＯＮ／ＯＦＦを切り換え、マイコンの誤動作時に、電源スイッチの操作によりマイコンのリセット端子にリセットをかけて、デジタル回路の電源のＯＮ／ＯＦＦを切り換えることができたが、マイコンの誤動作時に、ＡＣプラグをコンセントから抜かずに、電源スイッチの操作によりマイコンをリセットするようにしたものであって、上記問題点を解決するようにしたものではなかった。
本発明は、背景技術の有するこのような問題点に鑑みてなされたものであり、その目的とするところは、電源ＯＦＦが指令されたときに、駆動装置の全制御回路に電源ＯＦＦ処理を指令する信号制御信号を送出しても、駆動装置の全制御回路からの電源ＯＦＦ処理終了の応答信号がない場合に、電源をＯＦＦにすることができるディスク装置を提供しようとするものである。
【課題を解決するための手段】
【０００４】
上記目的を達成するため本発明においては、光ディスクに情報データを記録再生するディスク装置であって、ディスク装置の電源ＯＦＦを指令する電源ＯＦＦ指令手段と、前記電源ＯＦＦ指令手段により電源ＯＦＦが指令されたとき、電源ＯＦＦ処理を指令する制御信号を駆動装置の全制御回路に送出する送出手段と、前記送出手段により電源ＯＦＦ処理を指令する制御信号が送出されたときからの時間を計時するタイマ手段と、駆動装置の制御回路から電源ＯＦＦ処理終了の応答信号を受信する受信手段と、前記受信手段により駆動装置の全制御回路からの電源ＯＦＦ処理終了の応答信号が受信された場合、電源ＯＦＦ時の正常終了の終了情報を記憶し、前記受信手段により駆動装置の全制御回路から電源ＯＦＦ処理終了の応答信号が受信されない場合に、前記タイマ手段の計時時間が所定時間経過したとき、電源ＯＦＦ時の異常終了の終了情報を記憶する記憶手段と、前記受信手段により駆動装置の全制御回路からの電源ＯＦＦ処理終了の応答信号が受信されたとき、或いは、前記タイマ手段の計時時間が所定時間経過したとき、ディスク装置の電源をＯＦＦにする電源ＯＦＦ手段とを備える。
更に、前記受信手段により駆動装置の全制御回路から電源ＯＦＦ処理終了の応答信号が受信されていない場合、電源ＯＦＦ処理を指令する制御信号を電源ＯＦＦ処理終了の応答信号がない制御回路に繰り返し再送出する再送出手段を備える。
更に、ディスク装置の電源ＯＮを指令する電源ＯＮ指令手段と、前記電源ＯＮ指令手段によりディスク装置の電源ＯＮが指令されたとき、ディスク装置の電源をＯＮにする電源ＯＮ手段と、前記記憶手段に記憶されている電源ＯＦＦ時の終了情報を読み出して、電源ＯＦＦ時の終了状態を判別する判別手段と、前記判別手段により電源ＯＦＦ時に駆動装置の全制御回路が正常終了していなかったと判別された場合、電源ＯＦＦ時に正常終了していない駆動装置の制御回路に制御信号を送出して制御回路の駆動装置を電源ＯＮ時の初期状態に復帰させる復帰手段とを備える。
前記記憶手段は、不揮発性メモリであるとよい。
これらの手段により、電源ＯＦＦが指令されたときに、駆動装置の全制御回路に電源ＯＦＦ処理を指令する信号制御信号を送出しても、駆動装置の全制御回路からの電源ＯＦＦ処理終了の応答信号がない場合に、電源をＯＦＦにすることができる。
【発明の効果】
【０００５】
本発明に係るディスク装置によれば、ディスク装置の電源ＯＦＦを指令して、電源ＯＦＦが指令されたとき、電源ＯＦＦ処理を指令する制御信号を駆動装置の全制御回路に送出して、電源ＯＦＦ処理を指令する制御信号が送出されたときからの時間を計時し、駆動装置の制御回路から電源ＯＦＦ処理終了の応答信号を受信して、駆動装置の全制御回路から電源ＯＦＦ処理終了の応答信号が受信されていない場合、電源ＯＦＦ処理を指令する制御信号を電源ＯＦＦ処理終了の応答信号がない制御回路に繰り返し再送出して、駆動装置の全制御回路からの電源ＯＦＦ処理終了の応答信号が受信された場合、電源ＯＦＦ時の正常終了の終了情報を記憶し、駆動装置の全制御回路から電源ＯＦＦ処理終了の応答信号が受信されない場合に、計時時間が所定時間経過したとき、電源ＯＦＦ時の異常終了の終了情報を記憶して、駆動装置の全制御回路からの電源ＯＦＦ処理終了の応答信号が受信されたとき、或いは、計時時間が所定時間経過したとき、ディスク装置の電源をＯＦＦにし、ディスク装置の電源ＯＮを指令して、ディスク装置の電源をＯＮにし、記憶されている電源ＯＦＦ時の終了情報を読み出して、電源ＯＦＦ時の終了状態を判別し、電源ＯＦＦ時に駆動装置の全制御回路が正常終了していなかったと判別された場合、電源ＯＦＦ時に正常終了していない駆動装置の制御回路に制御信号を送出して制御回路の駆動装置を電源ＯＮ時の初期状態に復帰させるようにしているので、電源ＯＦＦが指令されたときに、駆動装置の全制御回路に電源ＯＦＦ処理を指令する信号制御信号を送出しても、駆動装置の全制御回路からの電源ＯＦＦ処理終了の応答信号がない場合に、電源をＯＦＦにすることができ、ノイズ等の何らかの原因で電源ＯＦＦ処理を指令する制御信号が制御回路に受信されていない場合に、電源ＯＦＦ処理を指令する制御信号を電源ＯＦＦ処理終了の応答信号がない制御回路に再送出することができるとともに、電源ＯＦＦ時に正常に終了していない制御回路の駆動装置を制御させてディスク装置の電源ＯＮ時の初期状態に復帰させることができる。
また、本発明に係るディスク装置によれば、ディスク装置の電源ＯＦＦを指令して、電源ＯＦＦが指令されたとき、電源ＯＦＦ処理を指令する制御信号を駆動装置の全制御回路に送出して、電源ＯＦＦ処理を指令する制御信号が送出されたときからの時間を計時し、駆動装置の制御回路から電源ＯＦＦ処理終了の応答信号を受信して、駆動装置の全制御回路からの電源ＯＦＦ処理終了の応答信号が受信された場合、電源ＯＦＦ時の正常終了の終了情報を記憶し、駆動装置の全制御回路から電源ＯＦＦ処理終了の応答信号が受信されない場合に、計時時間が所定時間経過したとき、電源ＯＦＦ時の異常終了の終了情報を記憶して、駆動装置の全制御回路からの電源ＯＦＦ処理終了の応答信号が受信されたとき、或いは、計時時間が所定時間経過したとき、ディスク装置の電源をＯＦＦにするようにしているので、電源ＯＦＦが指令されたときに、駆動装置の全制御回路に電源ＯＦＦ処理を指令する信号制御信号を送出しても、駆動装置の全制御回路からの電源ＯＦＦ処理終了の応答信号がない場合に、電源をＯＦＦにすることができる。
また、本発明に係るディスク装置によれば、駆動装置の全制御回路から電源ＯＦＦ処理終了の応答信号が受信されていない場合、電源ＯＦＦ処理を指令する制御信号を電源ＯＦＦ処理終了の応答信号がない制御回路に繰り返し再送出するようにしているので、ノイズ等の何らかの原因で電源ＯＦＦ処理を指令する制御信号が制御回路に受信されていない場合に、電源ＯＦＦ処理を指令する制御信号を電源ＯＦＦ処理終了の応答信号がない制御回路に繰り返し再送出することができる。
また、本発明に係るディスク装置によれば、ディスク装置の電源ＯＮを指令して、ディスク装置の電源をＯＮにし、記憶されている電源ＯＦＦ時の終了情報を読み出して、電源ＯＦＦ時の終了状態を判別し、電源ＯＦＦ時に駆動装置の全制御回路が正常終了していなかったと判別された場合、電源ＯＦＦ時に正常終了していない駆動装置の制御回路に制御信号を送出して制御回路の駆動装置を電源ＯＮ時の初期状態に復帰させるようにしているので、電源ＯＦＦ時に正常に終了していない制御回路の駆動装置を制御させてディスク装置の電源ＯＮ時の初期状態に復帰させることができる。
また、本発明に係るディスク装置によれば、電源ＯＦＦ時の終了情報を不揮発性メモリに記憶するようにしているので、ディスク装置の電源がＯＦＦになっても電源ＯＦＦ時の終了情報を保持することができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は本発明の一実施例のディスク装置の動作を示すフローチャートであり、図３は本発明の一実施例のディスク装置の動作を示すフローチャートである。
まず、図１の本発明の一実施例のディスク装置の構成を示すブロック図を基に説明する。
ディスク装置１は、光ディスク２にレーザ光を照射してその反射光を検出し、光ディスク２に記録されている映像音声データを読み出す光ピックアップ３と、光ディスク２を回転させるスピンドルモータ４と、光ピックアップ３を光ディスク２の半径方向にスレッド移動させるスレッドモータ５と、スピンドルモータ４の回転速度とスレッドモータ５の回転方向、回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された映像音声データのＲＦ（Ｒａｄｉｏ  Ｆｒｅｑｕｅｎｃｙ）信号を増幅するＲＦ増幅回路７と、ＲＦ増幅回路７により増幅された映像音声データのＲＦ信号を基準クロックに基づいて同期検出して復調し、復調された映像音声データの誤りを訂正して、所定の圧縮方式に基づいて圧縮された映像音声データを伸張し、伸張された映像音声データを復号して映像音声信号を再生する信号処理回路８と、ディスク装置１のシステム全体を制御するマイコン９と、光ディスクを載置するディスクトレイを開閉するトレイモータ１０を駆動制御するトレイモータ駆動制御回路１１と、ディスク装置の電源のＯＮ／ＯＦＦを制御する電源制御回路１２と、ディスク装置の電源ＯＦＦ時の終了情報等の各種データを記憶する不揮発性メモリのフラッシュＲＯＭ１３と、リモコン装置２０から送信された赤外線信号のリモコン信号を受信して、所定の電気信号に変換するリモコン受信部１４とで構成されている。
以上のように構成されたディスク装置について、以下その動作について説明する。
リモコン装置２０の操作キーの操作によりディスク装置１の電源ＯＦＦが指令されると、マイコン９は、電源ＯＦＦ処理を指令する制御信号を駆動装置の全制御回路（図１においては、サーボ回路６とトレイモータ駆動制御回路１１）に送出して、ソフトウェアタイマをスタートさせる。そして、マイコン９は、駆動装置の全制御回路から電源ＯＦＦ処理終了の応答信号が受信されたか否かを判別して、駆動装置の全制御回路からの電源ＯＦＦ処理終了の応答信号が受信された場合、マイコン９は、電源ＯＦＦ時に、駆動装置の全制御回路から電源ＯＦＦ処理終了の応答信号が受信された正常終了の終了情報をフラッシュＲＯＭ９に記憶して、電源制御回路１２に制御信号を送出して、ディスク装置１の電源をＯＦＦにする。
また、駆動装置の全制御回路から電源ＯＦＦ処理終了の応答信号が受信されていない場合、マイコン９は、電源ＯＦＦ処理を指令する制御信号を電源ＯＦＦ処理終了の応答信号がない制御回路に再送出する。電源ＯＦＦ処理終了の応答信号が受信されていない制御回路に電源ＯＦＦ処理を指令する制御信号を再送出しても、駆動装置の全制御回路から電源ＯＦＦ処理終了の応答信号が受信されない場合、マイコン９は、ソフトウェアタイマの計時時間が所定時間経過するまで、電源ＯＦＦ処理を指令する制御信号を電源ＯＦＦ処理終了の応答信号がない制御回路に繰り返して再送出する。そして、ソフトウェアタイマの計時時間が所定時間経過した場合、マイコン９は、電源ＯＦＦ時に、駆動装置の全制御回路から電源ＯＦＦ処理終了の応答信号が受信されていない異常終了の終了情報をフラッシュＲＯＭ１３に記憶して、電源制御回路１２に制御信号を送出して、ディスク装置１の電源をＯＦＦにする。
リモコン装置２０の操作キーの操作によりディスク装置の電源ＯＮが指令されるマイコン９は、電源制御回路１１に制御信号を送出して、ディスク装置１の電源をＯＮにし、フラッシュＲＯＭ１３に記憶されている電源ＯＦＦ時の終了情報を読み出して電源ＯＦＦ時に終了状態を判別し、電源ＯＦＦ時に正常終了していない駆動装置の制御回路に制御信号を送出して、正常終了していない駆動装置をディスク装置１の電源ＯＮ時の初期状態に復帰させる。
また、図２の本発明の一実施例のディスク装置の動作を示すフローチャートを基に説明する。
リモコン装置の操作キーの操作によりディスク装置の電源ＯＦＦが指令されると、ステップＳ１からステップＳ２に進み、ステップＳ２で、電源ＯＦＦ処理を指令する制御信号が駆動装置の全制御回路に送出されて、ソフトウェアタイマがスタートされ、ステップＳ３に進む。
ステップＳ３で、駆動装置の全制御回路からの電源ＯＦＦ処理終了の応答信号が受信されたか否かが判断され、駆動装置の全制御回路からの電源ＯＦＦ処理終了の応答信号が受信された場合、ステップＳ６に進み、駆動装置の全制御回路からの電源ＯＦＦ処理終了の応答信号が受信されていない場合、ステップＳ４に進む。
ステップＳ４で、電源ＯＦＦ処理を指令する制御信号が電源ＯＦＦ処理終了の応答信号がない制御回路に再送出されて、ステップＳ５に進む。
ステップＳ５で、ソフトウェアタイマの計時時間が所定時間経過したか否かが判断され、ソフトウェアタイマの計時時間が所定時間経過した場合、ステップＳ６に進み、ソフトウェアタイマの計時時間が所定時間経過していない場合、ステップＳ３に戻って、ステップＳ３からのステップを繰り返す。
ステップＳ６で、電源ＯＦＦ時に、駆動装置の全制御回路から電源ＯＦＦ処理終了の応答信号が受信されていない異常終了の終了情報がフラッシュＲＯＭに記憶されて、ステップＳ８に進む。
ステップＳ７で、電源ＯＦＦ時に、駆動装置の全制御回路から電源ＯＦＦ処理終了の応答信号が受信された正常終了の終了情報がフラッシュＲＯＭに記憶されて、ステップＳ８に進む。
ステップＳ８で、ディスク装置の電源がＯＦＦにされて、ステップＳ９に進んで処理を終了する。
また、図３の本発明の一実施例のディスク装置の動作を示すフローチャートを基に説明する。
リモコン装置の操作キーの操作によりディスク装置の電源がＯＮになると、ステップＳ１１からステップＳ１２に進み、ステップＳ１２で、フラッシュＲＯＭに記憶されている電源ＯＦＦ時の終了情報が読み出されて、ステップＳ１３に進む。
ステップＳ１３で、フラッシュＲＯＭから読み出された電源ＯＦＦ時の終了情報に基づいて電源ＯＦＦ時に駆動装置の全制御回路が正常終了していたか否かが判断され、電源ＯＦＦ時に駆動装置の全制御回路が正常終了していた場合、ステップＳ１５に進んで処理を終了し、電源ＯＦＦ時にディスク装置の駆動装置の全制御回路が正常終了していなかった場合、ステップＳ１４に進む。
ステップＳ１４で、電源ＯＦＦ時に正常終了していない駆動装置の制御回路に制御信号が送出されて、正常終了していない駆動装置がディスク装置の電源ＯＮ時の初期状態に復帰させ、ステップＳ１５に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】本発明の一実施例のディスク装置の動作を示すフローチャートである。
【図３】本発明の一実施例のディスク装置の動作を示すフローチャートである。
【符号の説明】
【０００８】
１  ディスク装置
２  光ディスク
３  光ピックアップ
４  スピンドルモータ
５  スレッドモータ
６  サーボ回路
７  ＲＦ増幅回路
８  信号処理回路
９  マイコン
１０  トレイモータ
１１  トレイモータ駆動制御回路
１２  電源制御回路
１３  フラッシュＲＯＭ
１４  リモコン受信部
２０  リモコン装置
【図１】
0004760347.tif 000002
【図２】
0004760347.tif 000003
【図３】
0004760347.tif 000004